(57)【要約】【課題】信頼性と経済性とに優れるとともに、支柱体をなくして、出入口をすっきりさせることのできる止水板装置及びその使用方法を提供する。【解決手段】これは、建造物の出入口１０に当接可能に設置されて手動で起伏可能な止水板２を備えた装置１であって、出入口１０の直ぐ外側に形成されて、出入口１０の床面９と略面一となるグレーチング６付きの開口部を有する収納溝３を備え、止水板２は、収納溝３内に倒伏される第一姿勢と、出入口１０と反対側が持ち上げられて、出入口１０側に引き寄せられることにより、起立される第二姿勢とを有し、止水板２が第一姿勢と第二姿勢となったときには、グレーチング６をそれぞれ閉じることができ、第二姿勢となった止水板２を、前記閉じたグレーチング６から突っ張ることにより、前記出入口に押圧するステー４を備えたものであり、その使用方法をも提供する。【選択図】図１
2019039253.tif 000002
【特許請求の範囲】
【請求項１】
建造物の出入口に当接可能に設置されて手動で起伏可能な止水板を備えた装置であって、
前記出入口の直ぐ外側に形成されて、前記出入口の床面と略面一となる開口部を有する収納溝と、前記収納溝の開口部を開閉可能に覆う蓋体とを備え、
前記止水板は、前記収納溝内に倒伏して格納された第一姿勢と、前記出入口側に引き寄せられて起立された第二姿勢とを有し、前記止水板が第一姿勢と第二姿勢となったときには、前記蓋体をそれぞれ閉じることができ、
前記第二姿勢となった止水板を、前記閉じた蓋体から突っ張ることにより、前記出入口に押圧する突っ張り部材を備えたことを特徴とする止水板装置。
【請求項２】
前記蓋体は、前記収納溝の開口部から持ち上げることにより該開口部を開けることができるとともに、前記開口部に復帰させることにより該開口部を閉じることができる、少なくとも１枚の格子部材で構成していることを特徴とする請求項１記載の止水板装置。
【請求項３】
前記蓋体は、前記収納溝の開口部のうちの少なくとも前記止水板の厚みだけ前記出入口から後退して設けられ、前記止水板が第一姿勢となったときに生じる前記蓋体と前記開口部との隙間をカバーする補助蓋体を備えたことを特徴とする請求項１又は２記載の止水板装置。
【請求項４】
前記突っ張り部材の一端は、前記止水板に回動可能に接続されるとともに、前記突っ張り部材の他端は、前記止水板が第一姿勢のときには、該止水板に沿うように折りたたまれ、前記止水板が第二姿勢のときには、該止水板から離れて前記蓋体に係合されることを特徴とする請求項１〜３のいずれか１項に記載の止水板装置。
【請求項５】
前記止水板は、該止水板が第二姿勢となったときに、前記出入口に当接可能なシール部材を備えたことを特徴とする請求項１〜４のいずれか１項に記載の止水板装置。
【請求項６】
前記止水板は、該止水板が第二姿勢となったときに、前記出入口の床面から略３０〜６０ｃｍの高さとなることを特徴とする請求項１〜５のいずれか１項に記載の止水板装置。
【請求項７】
請求項１〜６のいずれか１項に記載の止水板装置の収納溝の開口部を覆う蓋体を、該収納溝の開口部から取り外し、止水板を前記収納溝内に倒伏して格納された第一姿勢から、前記出入口側に引き寄せられて起立された第二姿勢にして、前記取り外した蓋体をもとの位置に戻した上で、前記第二姿勢となった止水板を、前記もとの位置に戻した蓋体から突っ張り部材で突っ張ることにより、該止水板を建造物の出入口に押圧することを特徴とする止水板装置の使用方法。
【発明の詳細な説明】
【技術分野】
【０００１】
本発明は、例えば建物、地下鉄、地下街等の建造物の出入口に設置して、洪水時における建造物内への浸水を防止する止水板装置及びその使用方法に関するものである。
【背景技術】
【０００２】
集中豪雨や高潮などによる洪水の発生時に、建造物の出入口からの浸水を防止する防水装置として、例えば特許文献１では、出入口の床部に形成された収納室と、該収納室に引き起こし自在に収納された防水扉と、該防水扉を収納室から引き起こして出入口を閉鎖する開閉駆動装置とを具備したゲート開閉装置において、前記防水扉が収納室から引き起された後に、前記開閉駆動装置により収納室の上面を閉鎖する開閉蓋を設けたことを特徴とする防水扉装置が知られている。ここでは、出入口に左右一対の支柱体を立設し、前記左右の支柱体と、左右の支柱体の底部間を連通する収納室に、索体を介して防水扉及び開閉蓋をそれぞれ自動的に開閉するようになっている。
【発明の概要】
【発明が解決しようとする課題】
【０００３】
しかしながら、上記特許文献１では、防水扉及び開閉蓋をそれぞれ自動的に開閉するので、動作が複雑で、非常時に故障して役に立たなくなるおそれがあった。また、メンテナンスが面倒で、設置コストのみならず、維持コストも高くなりがちであった。さらに、出入口の両側に左右一対の支柱体を立設しており、この支柱体が通常時の人間の出入の邪魔になるから、できれば支柱体をなくして出入口をすっきりさせたいとの要請もあった。
【０００４】
本発明は、上記事情に鑑みたものであり、その目的とするところは、信頼性と経済性とに優れるとともに、支柱体をなくして、出入口をすっきりさせることのできる止水板装置及びその使用方法を提供することである。
【課題を解決するための手段】
【０００５】
本発明は、建造物の出入口に当接可能に設置されて手動で起伏可能な止水板を備えた装置であって、前記出入口の直ぐ外側に形成されて、前記出入口の床面と略面一となる開口部を有する収納溝と、前記収納溝の開口部を開閉可能に覆う蓋体とを備え、前記止水板は、前記収納溝内に倒伏して格納された第一姿勢と、前記出入口側に引き寄せられて起立された第二姿勢とを有し、前記止水板が第一姿勢と第二姿勢となったときには、前記蓋体をそれぞれ閉じることができ、前記第二姿勢となった止水板を、前記閉じた蓋体から突っ張ることにより、前記出入口に押圧する突っ張り部材を備えたことを特徴とするものである。
【０００６】
本発明によれば、前記出入口の直ぐ外側に形成されて、前記出入口の床面と略面一となる開口部を有する収納溝と、前記収納溝の開口部を開閉可能に覆う蓋体とを備え、前記止水板は、前記収納溝内に倒伏して格納された第一姿勢と、前記出入口側に引き寄せられて起立された第二姿勢とを有し、前記止水板が第一姿勢と第二姿勢となったときには、前記蓋体をそれぞれ閉じることができるので、止水板の保管場所の確保や運搬にかかる手間と時間とが不要となるように、通常時は床面の蓋体より下に止水板が格納される。
【０００７】
したがって、止水板を例えばリブ材で補強した平板などの簡易な構造とすることにより、軽量化することができる。また、作動時にも蓋体をもとに戻すことにより、非常時の避難などで段差に足をとられてけがをすることを防ぐことができ、通常時と非常時とのいずれにおいてもバリアフリーを実現できる。また、止水板が起伏式であり、止水板を移動させるための労力が少なくて済む。また、止水板の収納溝がきわめて浅くなるので、設置場所に制約がなく、また施工工事もきわめて簡略化できる。
【０００８】
また、前記第二姿勢となった止水板を、前記閉じた蓋体から突っ張ることにより、前記出入口に押圧する突っ張り部材を備えたので、特許文献１のような支柱体をなくして、出入口をすっきりさせることができる。
【０００９】
さらに、すべて手動とすることにより、特許文献１のような索体を介して防水扉及び開閉蓋とをそれぞれ自動的に開閉する方式に比べて、各段と動作がシンプルとなるので、故障が少なく、いざとなる非常時にも素早く対応でき、メンテナンスも随分簡略化できる。その結果、信頼性と経済性とに優れるとともに、支柱体をなくして、建造物の出入口をすっきりさせることができる。
【００１０】
請求項２記載の発明のように、前記蓋体は、前記収納溝の開口部から持ち上げることにより該開口部を開けることができるとともに、前記開口部に復帰させることにより該開口部を閉じることができる、少なくとも１枚の格子部材で構成していることが好ましい。
【００１１】
請求項２記載の発明によれば、前記蓋体は、前記収納溝の開口部から持ち上げることにより該開口部を開けることができるとともに、前記開口部に復帰させることにより該開口部を閉じることができる、少なくとも１枚の格子部材で構成しているので、より簡単かつ軽量な構成でもって、蓋体と床面との隙間を少なくすることができる。
【００１２】
請求項３記載の発明のように、前記蓋体は、前記収納溝の開口部のうちの少なくとも前記止水板の厚みだけ前記出入口から後退して設けられ、前記止水板が第一姿勢となったときに生じる前記蓋体と前記開口部との隙間をカバーする補助蓋体を備えることが好ましい。
【００１３】
請求項３記載の発明によれば、前記蓋体は、前記収納溝の開口部のうちの少なくとも前記止水板の厚みだけ前記出入口から後退して設けられ、前記止水板が第一姿勢となったときに生じる前記蓋体と前記開口部との隙間をカバーする補助蓋体を備えたので、第二姿勢の止水板と蓋体との干渉をなくして、通常時と非常時とのいずれにおいても、前記開口部の隙間がほとんどなくなる。
【００１４】
請求項４記載の発明のように、前記突っ張り部材の一端は、前記止水板に回動可能に接続されるとともに、前記突っ張り部材の他端は、前記止水板が第一姿勢のときには、該止水板に沿うように折りたたまれ、前記止水板が第二姿勢のときには、該止水板から離れて前記蓋体に係合されることが好ましい。
【００１５】
請求項４記載の発明によれば、前記突っ張り部材の一端は、前記止水板に回動可能に接続されるとともに、前記突っ張り部材の他端は、前記止水板が第一姿勢のときには、該止水板に沿うように折りたたまれ、前記止水板が第二姿勢のときには、該止水板から離れて前記蓋体に係合されるので、止水板が起立した第二姿勢で、蓋体を収納溝の開口部に確実に固定することができる。
【００１６】
請求項５記載の発明のように、前記止水板は、該止水板が第二姿勢となったときに、前記出入口に当接可能なシール部材を備えることが好ましい。
【００１７】
請求項５記載の発明によれば、前記止水板は、該止水板が第二姿勢となったときに、前記出入口に当接可能なシール部材を備えたので、止水板が起立した第二姿勢で、より確実に止水できる。
【００１８】
請求項６記載の発明のように、前記止水板は、該止水板が第二姿勢となったときに、前記出入口の床面から略３０〜６０ｃｍの高さとなることが好ましい。
【００１９】
請求項６記載の発明によれば、前記止水板は、該止水板が第二姿勢となったときに、前記出入口の床面から略３０〜６０ｃｍの高さとなるので、止水体による止水効果を維持しつつ、操作者が止水板を手で引き起こしてから、蓋体を手で復帰させるような各操作をした後に、この操作者が前記引き起こした止水板を跨いで、建造物内に避難することができる。
【００２０】
請求項７記載の発明のように、請求項１〜６のいずれか１項に記載の止水板装置の収納溝の開口部を覆う蓋体を、該収納溝の開口部から取り外し、止水板を前記収納溝内に倒伏して格納された第一姿勢から、前記出入口側に引き寄せられて起立された第二姿勢にして、前記取り外した蓋体をもとの位置に戻した上で、前記第二姿勢となった止水板を、前記もとの位置に戻した蓋体から突っ張り部材で突っ張ることにより、該止水板を建造物の出入口に押圧することが好ましい。
【００２１】
請求項７記載の発明によれば、請求項１〜６のいずれか１項に記載の止水板装置の収納溝の開口部を覆う蓋体を、該収納溝の開口部から取り外し、止水板を前記収納溝内に倒伏して格納された第一姿勢から、前記出入口側に引き寄せられて起立された第二姿勢にして、前記取り外した蓋体をもとの位置に戻した上で、前記第二姿勢となった止水板を、前記もとの位置に戻した蓋体から突っ張り部材で突っ張ることにより、該止水板を建造物の出入口に押圧するので、上記と同様の作用効果を奏することができる。
【発明の効果】
【００２２】
本発明によれば、前記出入口の直ぐ外側に形成されて、前記出入口の床面と略面一となる開口部を有する収納溝と、前記収納溝の開口部を開閉可能に覆う蓋体とを備え、前記止水板は、前記収納溝内に倒伏して格納された第一姿勢と、前記出入口側に引き寄せられて起立された第二姿勢とを有し、前記止水板が第一姿勢と第二姿勢となったときには、前記蓋体をそれぞれ閉じることができるので、止水板の保管場所の確保や運搬にかかる手間と時間とが不要となるように、通常時は床面の蓋体より下に止水板が格納される。
【００２３】
したがって、止水板を例えばリブ材で補強した平板などの簡易な構造とすることにより、軽量化することができる。また、作動時にも蓋体をもとに戻すことにより、非常時の避難などで段差に足をとられてけがをすることを防ぐことができ、通常時と非常時とのいずれにおいてもバリアフリーを実現できる。また、止水板が起伏式であり、止水板を移動させるための労力が少なくて済む。また、止水板の収納溝がきわめて浅くなるので、設置場所に制約がなく、また施工工事もきわめて簡略化できる。
【００２４】
また、前記第二姿勢となった止水板を、前記閉じた蓋体から突っ張ることにより、前記出入口に押圧する突っ張り部材を備えたので、特許文献１のような支柱体をなくして、出入口をすっきりさせることができる。
【００２５】
さらに、すべて手動とすることにより、特許文献１のような索体を介して防水扉及び開閉蓋とをそれぞれ自動的に開閉する方式に比べて、各段と動作がシンプルとなるので、故障が少なく、いざとなる非常時にも素早く対応でき、メンテナンスも随分簡略化できる。その結果、信頼性と経済性とに優れるとともに、支柱体をなくして、建造物の出入口をすっきりさせることができる。
【００２６】
請求項７記載の発明によれば、請求項１〜６のいずれか１項に記載の止水板装置の収納溝の開口部を覆う蓋体を、該収納溝の開口部から取り外し、止水板を前記収納溝内に倒伏して格納された第一姿勢から、前記出入口側に引き寄せられて起立された第二姿勢にして、前記取り外した蓋体をもとの位置に戻した上で、前記第二姿勢となった止水板を、前記もとの位置に戻した蓋体から突っ張り部材で突っ張ることにより、該止水板を建造物の出入口に押圧するので、上記と同様の作用効果を奏することができる。
【図面の簡単な説明】
【００２７】
【図１】本発明の一実施形態に係る止水板装置の全体構成を示す側断面図である。
【図２】本実施形態に係る止水板装置の通常時を示す説明図であって、（ａ）は側断面図、（ｂ）は立面図、（ｃ）は平面図である。
【図３】本実施形態に係る止水板装置の非常時を示す説明図であって、（ａ）は側断面図、（ｂ）は立面図、（ｃ）は平面図である。
【図４】本実施形態に係る止水板装置の操作状態（１）を示す説明図である。
【図５】本実施形態に係る止水板装置の操作状態（２）を示す説明図である。
【図６】本実施形態に係る止水板装置の操作状態（３）を示す説明図である。
【図７】本実施形態に係る止水板装置の操作状態（４）を示す説明図である。
【図８】本実施形態に係る止水板装置の使用方法を示すフロー図である。
【発明を実施するための形態】
【００２８】
図１は本発明の一実施形態に係る止水板装置１の全体構成を示す側断面図、図２は本実施形態に係る止水板装置１の通常時を示す説明図、図３は本実施形態に係る止水板装置１の非常時を示す説明図であって、図２及び図３の（ａ）は側面図、（ｂ）は立面図、（ｃ）は平面図である。なお、説明の便宜上、構成要素の表示を一部省略していることがある。
【００２９】
図１，図２（ａ）（ｂ）（ｃ），図３（ａ）（ｂ）（ｃ）に示すように、本止水板装置１は、例えば建物、地下鉄、地下街等の建造物の出入口（サッシ枠）１０に、特許文献１のような支柱体を介在させることなく、当接可能に設置されて手動で起伏可能な止水板２を備えたものであって、主に鋼板、アルミニウム板などの耐候性に優れた材料からなっている。
【００３０】
そして、出入口１０の直ぐ外側に形成されて、出入口１０の床面９と略面一となる開口部を有する収納溝３と、この収納溝３の開口部を開閉可能に覆う、蓋体としてのグレーチング（格子部材）６と、補助蓋体としてのスペーサー６ａとを備えている。止水板２は、収納溝３内に倒伏して格納された第一姿勢と、出入口１０と反対側が持ち上げられて、出入口１０側に引き寄せられることにより、所定の経路を通って起立された第二姿勢とを有している。止水板２が第一姿勢になったときには、グレーチング６とスペーサー６ａとを閉じるとともに、第二姿勢となったときには、グレーチング６だけを閉じることができるようになっており、第二姿勢となった止水板２を、閉じたグレーチング６から突っ張ることにより、出入口１０に押圧する突っ張り部材としてのステー４を備えている。
【００３１】
ここで、止水板２は、平板２ｃを複数のリブ材２ｄで補強した構造の防水扉であって、前記第一姿勢においては、収納溝３内に収納可能な大きさの長方形状をなしている。この止水板２の出入口１０と反対側の左右両端には、それぞれ横向きに対向配置されたＵ字状の取手２ａを設けている。操作者は、この取手２ａを把持して、止水板２の出入口１０と反対側を持ち上げて、図１中のＡ方向に、回転軸２ｂまわりに回転させることにより、止水板２を前記第二姿勢となすことができるようになっている。この第二姿勢での止水板２の高さは、それで止水できる最高水位Ｃに一致している。具体的には、建造物の出入口１０の寸法に対応させて２ｍの幅としたものであって、非常時に、操作者が、第二姿勢の止水板２を跨いで建造物の出入口１０内に退避できるように、前記出入口１０の床面９から略３０〜６０ｃｍの高さとしている。
【００３２】
収納溝３は、全体がやや扁平で上方が開放された箱状をなしており、出入口１０の直ぐ外側にあって、止水板２の厚みに若干の余裕を加えた深さ（約１０ｃｍ）だけ掘り下げて埋設されている。このため、本止水板装置１の設置場所にほとんど制約がなく、施工工事が随分と簡略化される。収納溝３の側面上部には、グレーチング６の受け板３ｃが形成されており、その底面には、第一姿勢の止水板２を支持する支持体３ｂが、止水板２のリブ材２ｄに対応した位置に立設されている。なお、収納溝３の開口部をグレーチング６とスペーサー６ａとで閉じた状態であっても、それらの隙間から、塵埃や水などが、収納溝３内に入るようになっている。このため、収納溝３の底部の左右には、図外の側溝に排水するためのドレン管３ａが設けられている。
【００３３】
グレーチング６は、建造物の出入口１０の外部から見て、収納溝３の開口部手前側（出入口１０と反対側）に少なくとも第二姿勢の止水板２の厚み分だけ後退させて設定される左中右の３枚同一寸法のものに加えて、奥側（出入口１０側）に設定される左右の２枚同一寸法の箱状スペーサー６ａを備えている。そして、止水板２が第一姿勢となったときには、図２（ｃ）に示すように、収納溝３の側面に形成された受け板３ｃと、止水板２の出入口１０側の端部とで支持されたグレーチング６と、収納溝３の底面から図示しない棒状部材で支持されたスペーサー６ａとで、収納溝３の開口部を完全に塞ぐ一方、止水板２が第二姿勢となったときには、図３（ｃ）に示すように、止水板２と干渉しないように、グレーチング６だけを復帰させて収納溝３の開口部を塞ぐようになっている。これにより、グレーチング６と床面９との隙間をできるだけ少なくすることができる。このとき、スペーサー６ａはもともと第一姿勢の止水板２が収納されていた収納溝３内の空きスペースの適所に収納しておくことができる。
【００３４】
グレーチング６とスペーサー６ａとは、通常時には人が頻繁に通る、建造物の出入口１０に設置されることを配慮したものであり、その強度を確保しつつ軽量化を図ったものである。これらのグレーチング６と、スペーサー６ａとの存在により、止水板２上に人間などが直接載らなくなる。このため、止水板２を前記簡易な構造とすることで、軽量化することが可能となる。
【００３５】
そして、通常時のみならず、非常時にも収納溝３の開口部を閉止した状態とすることで、災害時の避難などで段差に足をとられて受傷することを防ぐことができる。特に手動式の場合、操作者はグレーチング６上を通って、第二姿勢の止水板２に到達し、それを跨いで建造物の出入口１０内に避難する必要があるから、その避難ルートのバリアフリー化が要請される。
【００３６】
第二姿勢での止水板２を出入口１０側にシール部材（止水パッキン）７を介して棒状のステー４で突っ張るようになっている。このため、シール部材７は、第二姿勢の止水板２の出入口１０側に、凹状に貼設されたゴム板からなっており、ステー４は、出入口１０に対応するように、左右一対設けられている。それぞれのステー４は、第一姿勢の止水板２の裏面に留め具４ｂで係止されており、第二姿勢の止水板２としたときに、留め具４ｂから解除して、回転軸４ａまわりに図１及び図３（ａ）中のＢ方向に回転させて、仮止め板８ｂに仮止めされるようになっている。これにより、起立した第二姿勢の止水板２が誤って倒伏されるのを防止できるとともに、洪水時に止水板にかかる水圧との協業により、その止水板２が建造物の出入口１０にシール部材７を介して押し付けられることにより、確実に止水できるようになっている。このステー４の長さは、長さ調整部材としての調整ナット５を回転させることで調整できるようになっている。これにより、ステー４でグレーチング６を締め付けるようになっている。
【００３７】
また、収納溝３の底部には、前述の支持体３ｂに加えて、第一姿勢の止水板２が収納された状態では、底部に沿って折りたたまれ、第二姿勢の止水板２が収納されていない状態では、空きスペースに立設されて、そこに戻されたグレーチング６を補助的に支持する補助受け板８と、ステー４の先端を仮止めするための仮止め板８ｂと、補助受け板８を回転軸８ａまわりに図６中のＤ方向に回転させて立設した状態で固定するためのピン８ｃとが設けられている。補助受け板８は、第二姿勢の止水板２では、第一姿勢の止水板２の出入口１０側の端部のようにグレーチング６を支持できないため、これに代わるものである。
【００３８】
図４〜図７は本実施形態に係る止水板装置１の操作状態（１）〜（４）をそれぞれ示す説明図、図８は本実施形態に係る止水板装置の使用方法を示すフロー図である。以下、図４〜図８を参照して、本止水板装置１の使用方法を説明する。
【００３９】
操作状態（１）：まず、図４に示すように、通常時は、止水板２は、倒伏した第一姿勢にて、収納溝３内に収納されており、その開口部は、収納溝３の側面に形成された受け板３ｃと、止水板２の出入口１０側の端部とで支持されたグレーチング６と、収納溝３の底面から図示しない棒状部材で支持されたスペーサー６ａとで覆われている。このとき、グレーチング６とスペーサー６ａとは収納溝３の開口部の略全体を塞いでいる。これにより、建造物の出入口１０の床面９とグレーチング６又はスペーサー６ａの表面とは面一となって、完全なバリアフリーとなっている。
【００４０】
このときには、止水板２とシール部材７とは、グレーチング６又はスペーサー６ａで覆われているから、外部から直接触ることはできない状態となっている。これにより、通常時における止水板２の誤操作を防止するものの、グレーチング６又はスペーサー６ａを介しての太陽光の直射等によるシール部材７の劣化は防止できず、塵埃や雨水の混入も防止できない。このため、グレーチング６又はスペーサー６ａと止水板２との間に図示しない薄板を設けて、太陽光の直射等によるシール部材７の劣化を防止するとともに、そこに混入した塵埃や雨水を集めてドレン管３ａから最寄りの側溝に排出することができる。
【００４１】
操作状態（２）：非常時は、例えば二人の操作者が、収納溝３のグレーチング６を１枚ずつ手で持ち上げて図４中のＦ方向にずらせるとともに、スペーサー６ａも１枚ずつ手で持ち上げて図４中のＥ方向にずらせることにより、最終的には図５に示すように、収納溝３の開口部の全体を開いた状態とする（図８のステップＳ１，Ｓ２）。
【００４２】
そして、操作者は、止水板２の左右に設けられた取手２ａの少なくともいずれか一方をもって、その止水板２を図５中のＡ方向に引っ張り上げることにより、止水板２を起立させた第二姿勢とする（図８のステップＳ３）。このとき、止水板２は、当初、出入口１０から離間しており、それが回動して出入口１０側に移動する。すると、止水板２の姿勢は、水平な第一姿勢から、傾斜した中間姿勢を経て、垂直な第二姿勢へと連続的に変化していく。その基本操作は、止水板２の軽量化と相俟って、労力が少なくて済む。
【００４３】
ついで、操作者は、止水板２の裏面の左右において、留め具４ｂで係止されたステー４の先端を、留め具４ｂから解除する。これによりフリーとなったステー４の先端を、回転軸４ａを中心にして、図５中のＢ方向に回転させることにより、収納溝３の底面に立設された仮止め板８ｂを一旦飛び越させる。しかる後に、操作者は、ステー４の中間に設けられた調整ナット５を操作することにより、ステー４の長さを調整してから逆回転させることにより、仮止め板８ｂに当接させて仮止めする（図８のステップＳ４）。これにより、第二姿勢となった止水板２を、出入口１０に、シール部材７を介在させた状態で、ステー４にて押し付けて押圧することができる。
【００４４】
操作状態（３）：ついで、図６に示すように、操作者が、収納溝３の底面に回転可能に取り付けられた補助受け板８を、回転軸８ａを中心にして、図６中のＤ方向に回転させることにより、収納溝３の底面上に起立させて、ピン８ｃで固定する（図８のステップＳ５）。すると、その補助受け板８が、誤って倒伏操作されることを防止できるようになる。
【００４５】
操作状態（４）：ついで、図７に示すように、操作者が、スペーサー６ａを収納溝３の空きスペースに収納してから（図８のステップＳ６）、ステー（左）の仮止めを解除し（図８のステップＳ７）、グレーチング（左）６を図７中のＧ方向に移動させて元の位置に戻して、収納溝３の開口部の一部を再び閉める（図８のステップＳ８）。このときには、グレーチング（左）６は、受け板３ｃと、補助受け板８とで支持する。そして、ステー（左）４の先端を、回転軸４ａを中心にして、図５中のＢ方向に回転させてグレーチング（左）上にセットするとともに（図８のステップＳ９）、調整ナット５を回転することでステー４の長さを図７中のＩ方向に伸縮させることにより、収納溝３の開口部一部を塞ぐように復帰させたグレーチング（左）６に係止させる。これにより、止水板２の姿勢を維持できるようになるとともに、対応するグレーチング６をステー４で締め付けることができる（図８のステップＳ１０）。
【００４６】
しかる後に、グレーチング（中）を元の位置に戻し（図８のステップＳ１１）、前記（２）で仮止めしたステー（右）４の先端を仮止め板８ｂから外して（図８のステップＳ１２）、図５中のＢ方向と逆方向に回転軸４ａを中心に回転させる。グレーチング（右）６を、図７中のＧ方向に移動させて元の位置に戻して、収納溝３の開口部の全部を再び閉める（図８のステップＳ１３）。これらのときにも、グレーチング（中右）６は、受け板３ｃと、補助受け板８とで支持する。
【００４７】
そして、ステー（右）４の先端を、回転軸４ａを中心にして、図５中のＢ方向に回転させてグレーチング（右）上にセットするとともに（図８のステップＳ１４）、調整ナット５を回転させることでステー（右）４の長さを図７中のＩ方向に伸縮させることにより、グレーチング（右）６に係止させる。これにより、止水板２の姿勢を維持できるようになるとともに、対応するグレーチング６をステー４で締め付けることができる（図８のステップＳ１５）。
【００４８】
非常時から通常時に戻る際には、概ね上記と逆の手順がとられることとなる。ここで、本発明者は、止水板装置１を試作して、その動作確認と防水性能試験とを実施し、これについても良好な結果を得ることができた。
【００４９】
以上説明したように、本実施形態に係る止水板装置１によれば、建造物の出入口１０の直ぐ外側に形成されて、出入口１０の床面９と略面一となるグレーチング６付の開口部を有する収納溝３を備え、止水板２は、収納溝３内に倒伏して格納された第一姿勢と、出入口１０と反対側で持ち上げられて、この出入口１０側に引き寄せられることにより、回転軸２ｂまわりに回転されて起立された第二姿勢とを有するので、止水板２の保管場所の確保や運搬にかかる手間と時間とを不要とするとともに、通常の使用時はもちろんのこと、非常時においても段差がなくなり、足を取られて転倒することがなくなる。また、起伏式の止水板２を収納する収納溝３の厚みがきわめて薄いため、設置場所に制約がなく、また施工工事もきわめて簡略化できる。
【００５０】
さらに、止水板２が第一姿勢と第二姿勢となったときには、グレーチング６をそれぞれ閉じることにより、止水板２の起伏操作を禁止する一方、止水板２が第一姿勢と第二姿勢との間にあるときには、グレーチング６を開けることにより、止水板２の起伏操作を許容するので、すべて手動とすることによる誤操作を防止するとともに、特許文献１のような索体を介して防水扉及び開閉蓋とをそれぞれ自動的に開閉する方式に比べて、各段と動作がシンプルとなるので、故障が少なく、いざとなる非常時にも素早く対応でき、メンテナンスも随分簡略化できる。
【００５１】
グレーチング６は、収納溝３の開口部から持ち上げて取り外し可能であるとともに、復帰して取り付け可能であるので、より簡単な構成でもって、グレーチング６と床面９との隙間を少なくして、より完全なバリアフリーが実現できる。
【００５２】
また、前記第二姿勢となった止水板を、前記閉じたグレーチング６から突っ張ることにより、建造物の出入口１０に押圧するステー４と、その長さ調整部材５とを備えたので、止水板２が建造物の出入口１０に当接可能となり、特許文献１のような支柱体をなくして、建造物の出入口１０をすっきりさせることができる。その結果、信頼性と経済性とに優れるとともに、支柱体をなくして、建造物の出入口１０をすっきりさせることができる。
【００５３】
なお、上記実施形態では、グレーチング６は左右方向に同一寸法で３分割しており、また、スペーサー６ａは左右方向に同一寸法で２分割しており、これらで収納溝３の開口部をほぼ覆うものとしているが、必ずしも左右方向に同一寸法で分割する必要はなく、そのグレーチング６を人手で動かすことに支障がなければ、１，２個にまとめたものであってもよいし、その逆に４個以上のグレーチング６に分けて設けてもよい。ただし、止水性能を確保するために、止水板２は一体としていることが好ましい。
【００５４】
また、上記実施形態では、グレーチング６に加えて、スペーサー６ａを別個に設けたが、これに代えて、あるいは、これとともに、床面９側において、スペーサー６ａとは反対側に折り畳み可能なフラッパを設けてもよい。また、グレーチング６やスペーサー６ａに代えて、例えば表面に滑り止め加工した鋼板等としてもよい。また、収納溝３の開口部をグレーチング６で覆う代わりに、収納溝３の開口部を止水板２で直接覆うような構成としてもよい。その場合は、グレーチング６が不要となり、収納溝３がさら薄くなるというメリットがある。
【００５５】
また、上記実施形態では、止水板２を複数のリブ材２ｄで補強した平板２ｃなどの簡易な構造として軽量化しているが、止水板２を例えばアルミニウム製とすることによっても軽量化することができるし、強度上の問題がなければ両者の組み合わせでさらなる軽量化を図ることもできる。グレーチング６とスペーサー６ａとの構造や材料についても同様である。
【００５６】
また、上記実施形態では、収納溝３内に倒伏して格納された第一姿勢の止水板２は、左右の取手２ａで持ち上げられて、出入口１０側に引き寄せられることにより、起立された第二姿勢となるとしたが、第一姿勢の止水板２は、出入口１０と反対側が持ち上げられ、その回転軸２ｂまわりに回転されることにより、起立されて第二姿勢となるようにしてもよい。その場合は、止水板２の水平移動がなくなるため、移動の労力がさらに少なくて済み、容易かつ迅速に止水板２を起伏させることができる。
【００５７】
また、上記実施形態では、グレーチング６とスペーサー６ａとの取り外しや、それらの復帰の手順などを例示しているが、同様の作用効果を奏しうる任意の手順としてもよいのはもちろんである。
【００５８】
上記実施形態では、操作者は、二人としているが、止水板２の寸法によっては、一人或いは三人以上であってもよい。
【符号の説明】
【００５９】
１  止水板装置
２  止水板
２ａ  止水板の取手
２ｂ  止水板の回転軸
２ｃ  止水板の平板
２ｄ  止水板のリブ材
３  収納溝
３ａ  ドレン管
３ｂ  止水板の支持体
３ｃ  グレーチングの受け板
４  ステー（突っ張り部材に相当する。）
４ａ  ステーの回転軸
４ｂ  ステーの留め具
５  ステーの調整ナット（長さ調整部材に相当する。）
６  グレーチング（蓋体、格子部材に相当する。）
６ａ  スペーサー（補助蓋体に相当する。）
７  シール部材
８  補助受け板
８ａ  補助受け板の回転軸
８ｂ  仮止め板
８ｃ  補助受け板の固定ピン
９  床面
１０  建造物の出入口
【先行技術文献】
【特許文献】
【００６０】
【特許文献１】特開２００５−９７８８５号公報
【図１】
2019039253.tif 000003
【図２】
2019039253.tif 000004
【図３】
2019039253.tif 000005
【図４】
2019039253.tif 000006
【図５】
2019039253.tif 000007
【図６】
2019039253.tif 000008
【図７】
2019039253.tif 000009
【図８】
2019039253.tif 000010